(57)【要約】【課題】  電動工具の運搬時や収納時における電源ケーブルの取り回しの向上に有効な補助ハンドル及び補助ハンドルを備えた電動工具を提供する。【解決手段】  電動工具１００に取付けられる補助ハンドル１１１は、モータ駆動用として電動工具に備えられた電源ケーブル１０８の一部を係止するためのケーブル係止部１１９を備えている。【選択図】  図１
2013129012.tif 000002
【特許請求の範囲】
【請求項１】
電動工具に取付けられる補助ハンドルであって、
モータ駆動用として電動工具に備えられた電源ケーブルの一部を係止するためのケーブル係止部を備えたことを特徴とする補助ハンドル。
【請求項２】
請求項１に記載の補助ハンドルであって、
前記ケーブル係止部は、前記電源ケーブルの延在方向の一部を周方向に囲む囲み部によって構成されていることを特徴とする補助ハンドル。
【請求項３】
請求項２に記載の補助ハンドルであって、
前記囲み部は、前記電源ケーブルの延在方向の一部を周方向に囲むことで前記電源ケーブルを係止し、前記囲みを解除することで前記電源ケーブルの前記囲み部への着脱を可能とすることを特徴とする補助ハンドル。
【請求項４】
請求項３に記載の補助ハンドルであって、
前記囲み部は、前記電源ケーブルの延在方向の一部を周方向に囲む囲み位置と、前記囲みを解除する囲み解除位置との間で移動する囲み解除部を有し、
前記囲み解除部は、常には前記囲み位置に置かれるように付勢されており、当該付勢に対抗する操作を介して前記囲み解除位置へと移動されることで囲み解除が行われることを特徴とする補助ハンドル。
【請求項５】
請求項１又は２に記載の補助ハンドルであって、
前記ケーブル係止部は、前記電源ケーブルが嵌め込み可能な開放部を有する嵌合部によって構成されていることを特徴とする補助ハンドル。
【請求項６】
請求項１〜５のいずれかに記載の補助ハンドルであって、
前記電動工具に取付けられる本体取付部と、作業者が把持する把持部とを有し、前記本体取付部と前記把持部との間に前記ケーブル係止部が設定されていることを特徴とする補助ハンドル。
【請求項７】
請求項１〜５に記載の補助ハンドルを有する電動工具。
【請求項８】
請求項７に記載の電動工具であって、
モータを収容するモータハウジングを有し、前記モータハウジングは、前記電源ケーブルの前記電動工具への取付部と、前記補助ハンドルの前記電動工具への取付部との間に配置されていることを特徴とする電動工具。
【発明の詳細な説明】
【技術分野】
【０００１】
本発明は、可搬型の作業工具に取付けられる補助ハンドル及び補助ハンドルを備えた作業工具に関する。
【背景技術】
【０００２】
特開２００２−２０５２８５号公報は、補助ハンドルを備えた可搬型電動工具としてのハンマドリルを開示している。ハンマドリルは、工具本体部に一体状に連接されたメインハンドルのほかに、工具本体部に取外し可能に取付けられる補助ハンドルとしてのサイドハンドルを備えており、一方の手でメインハンドルを把持し、他方の手でサイドハンドルを把持してハンマドリルを操作し、所定の加工作業を行う構成である。また、電動式のハンマドリルには、モータに電力を供給する電源ケーブル（電源コードともいう）が接続されており、ケーブル端部のプラグをコンセントに差し込み、電源ケーブルを通じて外部電源から電力をモータに供給する構成である。
【０００３】
従来の電源ケーブルを有する電動式のハンマドリルのような電動工具では、電動工具を運搬する場合あるいは収納する場合に、電源ケーブルを束ねたり工具本体に巻き付けたりしているが、運搬あるいは収納の途中で電源ケーブルが解けてしまうことがあり、電源ケーブルの取り回しが煩わしいものである。
そこで、電動式のハンマドリルをはじめとしたこの種の電動工具においては、運搬時あるいは収納時に電源ケーブルの取り扱い易さの向上に有効な技術が要請される。
【先行技術文献】
【特許文献】
【０００４】
【特許文献１】特開２００２−２０５２８５号公報
【発明の概要】
【発明が解決しようとする課題】
【０００５】
本発明は、上記に鑑みてなされたものであり、電動工具の運搬時や収納時における電源ケーブルの取り扱い易さの向上に有効な補助ハンドル及び補助ハンドルを備えた電動工具を提供することをその目的とする。
【課題を解決するための手段】
【０００６】
上記課題を解決するため、本発明の好ましい形態によれば、電動工具に取付けられる補助ハンドルが構成される。補助ハンドルは、モータ駆動用として電動工具に備えられた電源ケーブルの一部を係止するためのケーブル係止部を備えている。本発明における「電源ケーブルの一部を係止するとは」、電源ケーブル自体を係止する態様のほか、ケーブル端部のプラグを係止する態様を好適に包含する。また、「係止」とは、ケーブルを所定箇所に留め置く状態をいう。
本発明の好ましい形態によれば、電動工具を運搬する場合、あるいは収納する場合において、電源ケーブルを、例えば１，２回ループ状に巻いてから、あるいは電動工具本体に巻き付けてから電源ケーブルの一部を補助ハンドルのケーブル係止部に係止することができる。これにより電源ケーブルは、補助ハンドルに束ねられた状態で保持され、あるいは電動工具本体に巻き付けられた状態に保持されることとなり、電動工具の運搬時あるいは収納時の電源ケーブルの取り扱い易さが向上する。
【０００７】
本発明の更なる形態の補助ハンドルでは、ケーブル係止部は、電源ケーブルの延在方向の一部を周方向に囲む囲み部によって構成されていることが好ましい。本実施の形態における「囲み部」は、周方向の一部に切れ目（開放領域）がある態様、あるいは全周にわたって切れ目が無い完全に閉じている態様のいずれも好適に包含し、また、「囲み部」による囲みの態様としては、電源ケーブルの外面に接触した状態で囲む態様、あるいは電源ケーブルの外面に対し離間した状態で囲む態様、あるいは電源ケーブルの延在方向又は延在方向と交差する方向への移動を許容した状態で囲む態様等を包含する。
この形態によれば、電源ケーブルを囲み部に挿通することにより当該電源ケーブルを囲み部で保持できる。
【０００８】
本発明の更なる形態の補助ハンドルでは、囲み部は、電源ケーブルの延在方向の一部を周方向に囲むことで電源ケーブルを係止し、囲みを解除することで電源ケーブルの囲み部への着脱を可能としている。本実施の形態における「囲みを解除する」とは、囲みの周方向の一部を開放する状態をいう。なお、本実施の形態における「周方向に囲む」とは、全集を囲む態様、一部を囲む（周方向に切れ目を有する）態様のいずれも好適に包含する。
この形態によれば、電源ケーブルの延在方向の一部を囲む係止状態では、電源ケーブルを確実に保持することが可能であり、一方、囲み部の囲みを解除した囲み解除状態では、電源ケーブルの囲み部への着脱作業を容易に行うことができる。
【０００９】
本発明の更なる形態の補助ハンドルでは、囲み部は、電源ケーブルの延在方向の一部を周方向に囲む囲み位置と、囲みを解除する囲み解除位置との間で移動する囲み解除部を有する。そして囲み解除部は、常には囲み位置に置かれるように付勢されており、当該付勢に対抗する操作を介して囲み解除が行われるよう構成される。
この形態によれば、囲み解除部は、常には囲み位置に置かれるように付勢されているため、電源ケーブルを囲み部により確実に保持することが可能となり、一方、電源ケーブルの囲み部への着脱作業については、付勢に対抗して囲み解除部を囲み解除位置へと移動させた状態で行うことができる。
【００１０】
本発明の更なる形態の補助ハンドルでは、ケーブル係止部は、電源ケーブルが嵌め込み可能な開放部を有する嵌合部によって構成されている。本実施の形態における「嵌合部」は、典型的には、略半円形あるいはＵ字形の凹部によって構成される。
この形態によれば、嵌合部に対して、電源ケーブルの導体を包むケーブル外皮の柔軟性（弾性）を利用して電源ケーブルを嵌合状に係止することができる。
【００１１】
本発明の更なる形態の補助ハンドルは、電動工具に取付けられる本体取付部と、作業者が把持する把持部とを有する。そして本体取付部と把持部との間にケーブル係止部が設定されている。
この形態によれば、本体取付部と把持部間の連接領域をケーブル係止部の設定スペースとして活用でき、合理的である。
【００１２】
本発明の更なる形態では、請求項１〜５に記載の補助ハンドルを有する電動工具が構成される。
この形態によれば、電動工具の運搬時あるいは収納時の電源ケーブルの取り扱い易さを向上できる補助ハンドルを備えた電動工具を提供することができる。
【００１３】
本発明の更なる形態の電動工具では、モータを収容するモータハウジングを有する。そしてモータハウジングは、電源ケーブルの電動工具への取付部と、補助ハンドルの電動工具への取付部との間に配置されている。
この形態によれば、電源ケーブルの電動工具への取付部と、補助ハンドルの電動工具への取付部との間にモータハウジングが配置されていることで、ケーブル係止部は、電源ケーブルの電動工具への取付部から距離を置いた位置に配置されることになる。このため、電源ケーブルを、１，２回ループ状に巻いてから、あるいは電動工具本体に巻き付けてから電源ケーブルの一部を補助ハンドルのケーブル係止部に係止する作業を行う場合において、ケーブル係止部が電源ケーブルの電動工具への取付部付近に設定されている場合に比べて、当該作業を容易に行うことができる。
【発明の効果】
【００１４】
本発明によれば、電動工具の運搬時や収納時における電源ケーブルの取り扱い易さの向上に有効な補助ハンドル及び補助ハンドルを備えた電動工具が提供されることとなった。
【図面の簡単な説明】
【００１５】
【図１】サイドハンドルの全体構成を示す斜視図であり、ケーブル保持部の開閉カバーが開放動作された状態を示している。
【図２】図１の側面図である。
【図３】サイドハンドルの全体構成を示す斜視図であり、ケーブル保持部の開閉カバーが閉止動作された状態を示している。
【図４】図３の側面図である。
【図５】サイドハンドルを中心軸に沿って切断した縦断面図である。
【図６】ケーブル保持部を分解して示すサイドハンドルを示す斜視図である。
【図７】サイドハンドルが装着された電動式ハンマドリルと、電源ケーブルの保持例１を示す斜視図である。
【図８】図７の側面図である。
【図９】サイドハンドルが装着された電動式ハンマドリルと、電源ケーブルの保持例２を示す斜視図である。
【図１０】図９の側面図である。
【図１１】サイドハンドルに形成されたケーブル保持部の変形例を示す斜視図である。
【図１２】図１１の側面図である。
【発明を実施するための最良の形態】
【００１６】
以下、本発明の実施形態につき、図１〜図１０を参照しつつ詳細に説明する。本実施の形態は、電動式ハンマドリル１００に取外し可能に装着されるサイドハンドル１１１を用いて説明する。電動式ハンマドリル１００が、本発明における「電動工具」に対応し、サイドハンドル１１１が本発明における「補助ハンドル」に対応する。
【００１７】
電動式ハンマドリル（以下、ハンマドリルという）１００につき、図７〜図１０を参照して簡単に説明する。ハンマドリル１００は、図７〜図１０に示すように、本体部１０１の先端領域に先端工具としてのハンマビット（便宜上図示を省略する）を取付け、当該ハンマビットを電動モータ（便宜上図示を省略する）により駆動機構（便宜上図示を省略する）を介して駆動（長軸方向に直線動作及び／又は長軸方向周りに回転動作）し、これによりコンクリートのような被加工材にハンマ作業（ハツリ作業）やハンマドリル作業（穴明け作業）等の加工作業を行う電動工具である。作業者は、一方の手で本体部１０１の先端領域と反対側に一体状に備えられたメインハンドル１０７を把持し、他方の手で本体部１０１の先端領域の近傍に取付けられたサイドハンドル１１１を把持した状態でハンマビットを駆動して所定の加工作業を遂行することが可能とされている。
【００１８】
図８に示すように、ハンマドリル１００は、概括的に見て、ハンマドリル１００の外郭を形成する工具本体としての本体部１０１を主体として構成される。本体部１０１は、電動モータを収容するモータハウジング１０３と、電動モータの駆動力をハンマビットに伝達する駆動機構を収容するギアハウジング１０５を主体として構成され、モータハウジング１０３とギアハウジング１０５が側面視で略Ｌ型をなすように交差状に連接されている。そして、ギアハウジング１０５のうち筒状に形成されるバレル部の先端領域にハンマビットが装着され、モータハウジング１０３及びギアハウジング１０５におけるハンマビットの反対側に側面視で略Ｄ型のメインハンドル１０７が連接されている。
【００１９】
ハンマドリル１００は、電動モータに外部の電源から電力を供給するための電源ケーブル１０８を有する。電源ケーブル１０８は、ケーブルガード１０９を介してメインハンドル１０７の下側端部に固定されている。電源ケーブル１０８は、ケーブルガード１０９から所定長さで延在するケーブル本体の延在端部にプラグ１０８ａを有する構成であり、加工作業を行う場合には、プラグ１０８ａを外部電源としてのコンセントに差し込み、電動モータに電力を供給する。
【００２０】
ところで、ハンマドリル１００を運搬する場合あるいは収納する場合、電源ケーブル１０８が邪魔になることがある。そのため、電源ケーブル１０８を束ねたりハンマドリル１００に巻き付けたりした上で、その状態を保持できるようにすることが好ましい。本実施の形態では、電源ケーブル１０８の束ねた状態を、あるいはハンマドリル１００に巻き付けた状態を保持するべく、サイドハンドル１１１にケーブル保持機能を持たせ、これによりハンマドリル１００の運搬時あるいは収納時における電源ケーブル１０８の取り扱いの容易化を図っている。
【００２１】
ケーブル保持機能付きサイドハンドル１１１につき、図１〜図１０を参照して詳細に説明する。サイドハンドル１１１は、図７〜図１０に示すように、ハンマドリル１００の本体部１０１、詳しくは本体部１０１のバレル部に形成された略円形の外形を有するハンドル装着部１０５ａに取付可能とされた取付部１１３と、作業者が把持する略円筒状のグリップ部１１５とを主体として構成されている。そして、図１〜図６に示すように、取付部１１３とグリップ部１１５との間の連接領域１１７に、電源ケーブル１０８を係止して保持するためのケーブル保持部１１９が設定されている。取付部１１３は、本発明における「本体取付部」に対応し、グリップ部１１５は、本発明における「把持部」に対応し、ケーブル保持部１１９は、本発明における「ケーブル係止部」に対応する。
【００２２】
取付部１１３は、略円弧状のバンド１２１と、バンド１２１の円弧に対向する略円弧状の係合面１２３ａを有するベース部材１２３とを主体として構成される。そして、ハンドル装着部１０５ａに対し、当該ハンドル装着部１０５ａをバンド１２１の円弧面とベース部材１２３の係合面１２３ａにより外側から挟み込むように配置後、当該バンド１２１を締め付ける（係合面１２３ａ側へ近づける）操作を行い、バンド１２１とベース部材１２３によってハンドル装着部１０５ａを挟持する。これによりサイドハンドル１１１をハンマドリル１００の本体部１０１に取付けることができる。
【００２３】
グリップ部１１５は、手指で把持する上で好ましい太さと長さを有するとともに、長軸方向の一端にはフランジ１１５ａを備えた略円形の筒状部材によって構成されている。また、図５に示すように、グリップ部１１５の中心には貫通状の孔が備えられ、この孔は長軸方向の一方（フランジ１１５ａ側）が円形孔１１５ｂ、他方（自由端側）が角孔（六角孔）１１５ｃとして設定されている。
【００２４】
図５に示すように、グリップ部１１５内には、バンド締付用のネジ付ロッド１２５が配置されている。ネジ付ロッド１２５は、グリップ部１１５の円形孔１１５ｂ及びベース部材１２３の底部中心に設けた孔を遊嵌状に貫通してバンド１２１側へと延在されるとともに、その延在端部がバンド１２１の両端部に連結部材１２７を介して固定状に連結されている。また、ネジ付ロッド１２５の、バンド１２１との連結側の反対側端部には、外形が角形（六角形）のナット１２９が螺合されており、このナット１２９がグリップ部１１５の角孔１１５ｃに係合されて相対回動が規制されている。
【００２５】
従って、サイドハンドル１１１を、バンド１２１の円弧面とベース部材１２３の係合面１２３ａとによってハンドル装着部１０５ａを外側から挟み込むように配置した状態において、グリップ部１１５を長軸線回りの一方向に回転操作すれば、ナット１２９の端面が円形孔１１５ｂと角孔１１５ｃとの境界に相当する段差部１１５ｄに当接されて円形孔１１５ｂ側への移動が規制されるとともに、ネジ付ロッド１２５が角孔１１５ｃ側へ直線移動する。これによりバンド１２１とベース部材１２３が相対的に接近してハンドル装着部１０５ａを締め付ける。かくして、サイドハンドル１１１は、ハンマドリル１００に固定された状態で取付けられる。
【００２６】
一方、グリップ部１１５を他方向に回転操作すれば、ネジ付ロッド１２５が締付け時とは逆方向へ直線移動されるため、バンド１２１がベース部材１２３から離間する方向へ移動されて締付けが緩められる。バンド１２１を緩めた締付解除状態においては、バレル部のハンドル装着部１０５ａに対するサイドハンドル１１１の着脱が可能とされる。また、サイドハンドル１１１のハンマドリル１００に対する取付け姿勢については、ハンドル装着部１０５ａの外形が円形であるため、ハンマビットの長軸方向（従って、本体部１０１の長軸方向）の周りにおいて任意の方向に定めることができる。
【００２７】
ベース部材１２３は、一面が開放された略直方形の箱型に形成され、互いに対向する２つの側壁の開放側端部に前述したバンド１２１と対向する係合面１２３ａが形成されている。そして、ベース部材１２３の４個の側壁のうち、係合面１２３ａを有しない１つの側壁１３３を利用して前述したケーブル保持部１１９が設定されている。
【００２８】
ケーブル保持部１１９は、電源ケーブル１０８の延在方向の一部を周方向に囲む囲み部１３１として構成されている。囲み部１３１は、本発明における「囲み部」に対応する。囲み部１３１は、１つの側壁１３３に形成された受容凹部１３５と、当該受容凹部１３５を開閉する開閉カバー１３７とを主体として構成される。受容凹部１３５は、側壁１３３をグリップ部１１５の長軸方向と交差する方向に凹ませることで形成され、この凹みの開放側を覆うように開閉カバー１３７が側壁１３３の壁面に対向状に配置される。
【００２９】
開閉カバー１３７は、図５に示すように、ベース部材１２３に支軸１４１を介して回動自在に支持され、この支軸１４１を挟んで一方側が受容凹部１３５を開閉するための覆い部１３７ａとされ、他方側には手指による開放操作用（押圧操作用）の押圧操作部１３７ｂが形成されている。
【００３０】
また、開閉カバー１３７は、支軸１４１の周りに配置された付勢部材としてのねじりコイルバネ１４３により常時に覆い部１３７ａが受容凹部１３５を閉止する方向、すなわち内向きに付勢されている。従って、開閉カバー１３７は、押圧操作部１３７ｂを押圧操作しない限り、覆い部１３７ａが受容凹部１３５を閉止する閉止位置に保持される。この状態が図３及び図４に示される。一方、ねじりコイルバネ１４３の付勢に対抗して押圧操作部１３７ｂを手指で押圧した場合には、開閉カバー１３７は、支軸１４１を支点にして覆い部１３７ａが受容凹部１３５から離れる外向きに回動されて当該受容凹部１３５を開放する開放位置へと移動される。この状態が図１及び図２に示される。開閉カバー１３７は、本発明における「囲み解除部」に対応し、開閉カバー１３７の閉止位置が、本発明における「囲み位置」に対応し、開閉カバー１３７開放位置が、本発明における「囲み解除位置」に対応する。
【００３１】
図６には、開閉カバー１３７の取付構造が分解図として示される。図示のように、ベース部材１２３には、互いに対向する２枚のプレート部１４５，１４７が備えられている。一方のプレート部１４５は、ベース部材１２３に一体に形成され、他方のプレート部１４７は、ベース部材１２３とは別体に形成される。そして、一方（ベース部材１２３と一体）のプレート部１４５に支軸１４１の一端が固定されている。開閉カバー１３７は、支軸１４１に遊嵌状に嵌合するボス部１３７ｃ（図５の断面図参照）を有する。なお、図６ではこのボス部１３７ｃは開閉カバー１３７の陰に隠れて図示されていない。また、他方のプレート部１４７には、支軸１４１の自由端部に嵌合可能なボス部１４７ａが形成されている。そして、支軸１４１に、開閉カバー１３７のボス部１３７ｃ、ねじりコイルバネ１４３の巻部及び別体のプレート部１４７のボス部１４７ａを順次嵌合したのち、当該プレート部１４７のボス部１４７ａの孔に止着部材としてのねじ１４９を挿通して支軸１４１に締着することで、開閉カバー１３７がベース部材１２３に組付けられる。
【００３２】
本実施の形態に係るサイドハンドル１１１は、上記のように構成したことにより、ハンマドリル１００を運搬する場合あるいは収納する場合に、ケーブル保持部１１９を用いて電源ケーブル１０８が邪魔にならないように保持することが可能とされる。図７及び図８に電源ケーブル１０８の保持例１が示され、図９及び図１０に電源ケーブル１０８の保持例２が示される。
【００３３】
図７及び図８に示す保持例１につき説明する。この保持例１は、電源ケーブル１０８を複数回ループ状に巻いた後、当該巻かれた電源ケーブル１０８のループ部分にサイドハンドル１１１のグリップ部１１５及び連接領域１１７を貫通状に通した状態で当該ループ部分の一部をケーブル保持部１１９に係止して保持する例である。すなわち、図１及び図２に示すように、開閉カバー１３７の押圧操作部１３７ｂを押圧し、ねじりコイルバネ１４３の付勢に抗して覆い部１３７ａを外向きに回動させることで受容凹部１３５を開放する。その後、開放された受容凹部１３５に電源ケーブル１０８のループ部分を径方向に差し込んで押圧操作部１３７ｂの押圧を解除すれば、図３及び図４に示すように、ねじりコイルバネ１４３の付勢より開閉カバー１３７の覆い部１３７ａが内向きに回動して受容凹部１３５を閉止する。かくして、電源ケーブル１０８を束ねた状態でサイドハンドル１１１に保持することができる。このため、運搬あるいは収納の途中で電源ケーブル１０８が解けて邪魔になるといったことなく、運搬作業あるいは収納作業が容易化される。なお、保持例１は、ハンマドリル１０１に対してサイドハンドル１１１が横向き姿勢（サイドハンドル１１１のグリップ部１１５の長軸方向が、メインハンドル１０７のグリップ部の延在方向と交差する姿勢）に取付けられている場合に好適な例として示す。
【００３４】
次に図９及び図１０に示す保持例２につき説明する。この保持例２は、電源ケーブル１０８をハンマドリル１００に巻き付けて保持する例であり、具体的にはサイドハンドル１１１のグリップ部１１５を経由してメインハンドル１０７とサイドハンドル１１１の連接領域１１７に対して取り囲むように巻き付けるとともに、ケーブル保持部１１９に係止して保持する例である。なお、電源ケーブル１０８のケーブル保持部１１９への係止については、上述の保持例１と同様の要領で行うことができる。かくして、電源ケーブル１０８をハンマドリル１００に束ねた状態でサイドハンドル１１１に保持することができ、保持例１の場合と同様、運搬あるいは収納の途中で電源ケーブル１０８が解けて邪魔になることがなく、運搬作業あるいは収納作業が容易化される。なお、保持例２は、ハンマドリル１０１に対してサイドハンドル１１１が下向き姿勢（サイドハンドル１１１のグリップ部１１５の長軸方向が、メインハンドル１０７のグリップ部の延在方向と交差する姿勢）に取付けられている場合に好適な例として示す。
【００３５】
以上のように、本実施の形態によれば、サイドハンドル１１１に電源ケーブル１０８を係止して保持するケーブル保持部１１９を設けたことにより、ハンマドリル１００を運搬する場合、あるいは収納する場合において、電源ケーブル１０８をサイドハンドル１１１に束ねられた状態で保持し、あるいはハンマドリル１００に巻き付けた状態で保持できる。このため、ハンマドリル１００の運搬時あるいは収納時における電源ケーブル１０８の取り扱い易さが向上される。
【００３６】
また、本実施の形態によれば、ケーブル保持部１１９が、周方向に閉じられた囲み部１３１によって構成されているので、電源ケーブル１０８を囲み部１３１で規定される空間内に安定的に保持できる。また、囲み部１３１につき、受容凹部１３５と当該受容凹部１３５の開放部分を開閉する開閉カバー１３７とから構成したので、開閉カバー１３７を開放位置へ操作した状態では、受容凹部１３５への電源ケーブル１０８の着脱作業を容易に行うことができる。また、常時には開閉カバー１３７が受容凹部１３５の開放部分を覆う閉止位置に置かれるようにねじりコイルバネ１４３によって付勢したので、電源ケーブル１０８を受容凹部１３５内により確実に保持することが可能となる。
【００３７】
また、本実施の形態によれば、サイドハンドル１１１において、取付部１１３とグリップ部１１５との間の連接領域１１７にケーブル保持部１１９を設定している。連接領域１１７には、ハンドル装着部１０５ａをバンド１２１と共同して挟持するベース部材１２３が位置している。このベース部材１２３は、バンド１２１と対向する略半円弧状の係合面１２３ａを有する部材であり、当該係合面１２３ａの設定を可能とする横幅を有する。この横幅は、ベース部材１２３がハンドル装着部１０５ａに対する取付部１１３と、作業者が把持するグリップ部１１５とを連接する部材でもあることから、剛性確保のために必要な横幅でもある。従って、この横幅内に収まるようにケーブル保持部１１９を設定することで、ベース部材１２３の剛性を確保しつつ、いわゆるデッドスペースを合理的に活用することができる。すなわち、グリップ部１１５のフランジ１１５ａの外周縁と、ベース部材１２３の係合面１２３ａ側の端部とを結ぶ面内に収まるように、ケーブル保持部１１９を配置することが可能であり、このため、サイドハンドル１１１を把持して加工作業を行う場合に、ケーブル保持部１１９が当該加工作業の妨げにならない。
【００３８】
また、本実施の形態によれば、ハンマドリル１００において、サイドハンドル１１１が本体部１０１の先端側（ハンマビット側）に取付けられ、一方、電源ケーブル１０８の一端が本体部１０１の後端部（ハンマビットの反対側）に取付けられ、当該両取付部間にモータハウジング１０３が位置する構成である。つまり、ハンマドリル１００に対するサイドハンドル１１１の取付部が、電源ケーブル１０８のハンマドリル１００に対する取付部から離間した構成である。このため、電源ケーブル１０８を、１，２回ループ状に巻いてから、あるいはハンマドリル１００に巻き付けてから電源ケーブル１０８をサイドハンドル１１１のケーブル保持部１１９に係止する作業を行う場合において、例えばケーブル保持部１１９が電源ケーブル１０８のハンマドリル１００への取付部の近くに設定されている場合に比べて、当該作業を容易に行うことができる。
【００３９】
次に本発明の実施形態に係るサイドハンドル１０８の変形例につき、図１１及び図１２を参照しつつ説明する。図１１はサイドハンドル１０８の斜視図であり、図１２はサイドハンドル１０８の側面図である。この変形例においては、ケーブル保持部１１９につき、電源ケーブル１０８を延在方向と交差する方向に嵌め込み可能な嵌合溝１５１によって構成している。嵌合溝１５１が、本発明における「嵌合部」に対応する。
【００４０】
嵌合溝１５１は、サイドハンドル１１１におけるベース部材１２３の１つの側壁１３３に設定されている。嵌合溝１５１は、グリップ部１１５の長軸方向（ハンマドリル１００の本体部１０１の長軸方向）と交差する方向に側壁１３３の全幅にわたって延在する断面略Ｕ形の凹部として設定されている。
【００４１】
電源ケーブル１０８は、一般に導体を包む外皮が柔軟性（弾性）を有している。本実施の形態では、この外皮の柔軟性を利用し、嵌合溝１５１に対して、電源ケーブル１０８を延在方向と交差する方向（径方向）に強制的に嵌め込むことにより、当該電源ケーブル１０８をサイドハンドル１１１に束ねた状態あるいはハンマドリル１００に巻き付けた状態で電源ケーブル１０８を保持することができる。このため、前述した実施形態と同様、ハンマドリル１００の運搬時あるいは収納時における電源ケーブル１０８の取り扱い易さを向上することができる。図１１、図１２では、一個の嵌合溝１５１を設定した場合を図示しているが、必要に応じて嵌合溝１５１を複数並設することが可能である。
【００４２】
なお、本実施の形態では、ケーブル保持部１１９につき、開閉カバー１３７を有する囲い部１３１によって構成したが、この構成に変えて開閉カバー１３７を有しない囲い部を設定することも可能である。すなわち単純な貫通孔によって構成してもよいし、環状リングを設けてもよい。更にはりフック状の部材によってケーブル保持部１１９を構成することも可能である。
【００４３】
また、上述した実施の形態では、電源ケーブル１０８のケーブル本体をケーブル保持部１１９に係止して保持する構成としたが、電源ケーブル１０８のプラグ１０８ａを係止する構成に変更することが可能であり、その場合、ケーブル保持部１１９は、コンセントのようにプラグ１０８ａを差し込んで係止する構成とすることが好ましい。
【００４４】
また、上述した実施の形態は、ハンマドリル１００のサイドハンドル１１１を例にして説明したが、これに限らず、モータにより先端工具を駆動させて被加工材に加工作業を行う電動工具にメインハンドルとは別途に装着される補助操作用のハンドルであれば適用可能である。
【符号の説明】
【００４５】
１００  ハンマドリル（電動工具）
１０１  本体部
１０３  モータハウジング
１０５  ギアハウジング
１０５ａ  ハンドル装着部
１０７  メインハンドル
１０８  電源ケーブル（電源ケーブル）
１０８ａ  プラグ
１０９  ケーブルガード
１１１  サイドハンドル（補助ハンドル）
１１３  取付部（本体取付部）
１１５  グリップ部（把持部）
１１５ａ  フランジ
１１５ｂ  円形孔
１１５ｃ  角孔
１１５ｄ  段差部
１１７  連接領域
１１９  ケーブル保持部（ケーブル係止部）
１２１  バンド
１２３  ベース部材
１２３ａ  係合面
１２５  ネジ付ロッド
１２７  連結部材
１２９  ナット
１３１  囲み部
１３３  側壁
１３５  受容凹部
１３７  開閉カバー（囲み解除部）
１３７ａ  覆い部
１３７ｂ  押圧操作部
１３７ｃ  ボス部
１４１  支軸
１４３  ねじりコイルバネ
１４５  プレート部
１４７  プレート部
１４７ａ  ボス部
１４９  ねじ
１５１  嵌合溝（嵌合部）
【図１】
2013129012.tif 000003
【図２】
2013129012.tif 000004
【図３】
2013129012.tif 000005
【図４】
2013129012.tif 000006
【図５】
2013129012.tif 000007
【図６】
2013129012.tif 000008
【図７】
2013129012.tif 000009
【図８】
2013129012.tif 000010
【図９】
2013129012.tif 000011
【図１０】
2013129012.tif 000012
【図１１】
2013129012.tif 000013
【図１２】
2013129012.tif 000014